(57)【要約】【課題】通気部に歪みによる皺が生じることなく、安定した通気性が得られるようにした白米などの収納袋を提供する。【解決手段】少なくとも内面側を構成する層２が合成樹脂からなるシート４により作られ、内部に白米などの粒状内容物を収納するための収納袋１であって、周囲のヒートシールにより接合される辺の少なくとも１辺においてヒートシール部５を分断する状態で通気部７が形成されており、この通気部７はヒートシールにより接合される２枚のシート４，４にそれぞれ予め収納袋１の短手方向もしくは長手方向に対して長さ方向が傾斜するように形成された凹凸部６により形成されるとともに２枚の各シート４の凹凸部６の長さ方向は互いに逆方向に傾斜している。【選択図】図３
2010001038.tif 000002
【特許請求の範囲】
【請求項１】
少なくとも内面側を構成する層が合成樹脂からなるシートにより作られ、内部に白米などの粒状内容物を収納するための収納袋であって、周囲のヒートシールにより接合される辺の少なくとも１辺においてヒートシール部を分断する状態で通気部が形成されており、この通気部はヒートシールにより接合される２枚のシートにそれぞれ予め収納袋の短手方向もしくは長手方向に対して長さ方向が傾斜するように形成された凹凸部により形成されるとともに２枚の各シートの凹凸部の長さ方向は互いに逆方向に傾斜していることを特徴とする収納袋。
【請求項２】
凹凸部は波状に形成されており、通気部において２枚のシートの凹凸部の凸部同士は水平に寝かせた収納袋を上から見て収納袋の端面でその長さ方向一端がＶ状に交わっていることを特徴とする請求項１記載の収納袋。
【請求項３】
凹凸部は波状に形成されており、通気部において２枚のシートの凹凸部の凸部同士は水平に寝かせた収納袋を平面から見てＸ状に交わっていることを特徴とする請求項１記載の収納袋。
【請求項４】
凹凸部はのこぎり歯形状に形成されており、一方のシートの１組の凹凸部と他方のシートの１組の凹凸部とが水平に寝かせた収納袋を上から見て収納袋の端面でその長さ方向一端がＶ状に交わっていることを特徴とする請求項１記載の収納袋。
【請求項５】
凹凸部はのこぎり歯形状に形成されており、一方のシートの１組の凹凸部と他方のシートの１組の凹凸部とが水平に寝かせた収納袋を上から見てＸ状に交わっていることを特徴とする請求項１記載の収納袋。
【請求項６】
収納袋内に向く通気部の開口は収納袋内に収納される粒状内容物の粒の大きさよりも小さく設定されていることを特徴とする請求項１から５までの何れか１項記載の収納袋。
【発明の詳細な説明】
【技術分野】
【０００１】
本発明は、精米された白米などの穀物類や粒状の肥料などを収納するための収納袋に関するものである。
【背景技術】
【０００２】
従来から精米された白米などを収納する収納袋として、例えば特許文献１に開示されているように、少なくとも内面が熱可塑性合成樹脂シート製の包装袋の、融着シール部の一部を未融着で残すことにより、通気部を形成し、かつ、この通気部では両面のシート長に差を持たせて、穀物が洩れない大きさの穴を形成した穀物包装袋が知られている。
【特許文献１】特許第２９６８２２９号公報
【発明の開示】
【発明が解決しようとする課題】
【０００３】
上記特許文献１に開示されている穀物包装袋の構成では、通気部は両面のシート長に差を持たせて、包装袋の片面側に膨らませており、この片面側の膨らんだ部分と他面側の膨らんでいない平面部分との間のシート長の違いにより一方に歪みが生じ、片面側の膨らんだ部分に皺が寄るという現象が生じ、通気性が低下するという問題があった。
【０００４】
本発明の目的は、このような課題を解決するものであり、通気部に歪みによる皺が生じることなく、安定した通気性が得られるようにした白米などの収納袋を提供することにある。
【課題を解決するための手段】
【０００５】
本発明の請求項１に記載の収納袋は、少なくとも内面側を構成する層が合成樹脂からなるシートにより作られ、内部に白米などの粒状内容物を収納するための収納袋であって、周囲のヒートシールにより接合される辺の少なくとも１辺においてヒートシール部を分断する状態で通気部が形成されており、この通気部はヒートシールにより接合される２枚のシートにそれぞれ予め収納袋の短手方向もしくは長手方向に対して長さ方向が傾斜するように形成された凹凸部により形成されるとともに２枚の各シートの凹凸部の長さ方向は互いに逆方向に傾斜していることを特徴とする。
【０００６】
請求項２に記載の収納袋は、凹凸部は波状に形成されており、通気部において２枚のシートの凹凸部の凸部同士は水平に寝かせた収納袋を上から見て収納袋の端面でその長さ方向一端がＶ状に交わっていることを特徴とする。
【０００７】
請求項３に記載の収納袋は、凹凸部は波状に形成されており、通気部において２枚のシートの凹凸部の凸部同士は水平に寝かせた収納袋を平面から見てＸ状に交わっていることを特徴とする。
【０００８】
請求項４に記載の収納袋は、凹凸部はのこぎり歯形状に形成されており、一方のシートの１組の凹凸部と他方のシートの１組の凹凸部とが水平に寝かせた収納袋を上から見て収納袋の端面でその長さ方向一端がＶ状に交わっていることを特徴とする。
【０００９】
請求項５に記載の収納袋は、凹凸部はのこぎり歯形状に形成されており、一方のシートの１組の凹凸部と他方のシートの１組の凹凸部とが水平に寝かせた収納袋を上から見てＸ状に交わっていることを特徴とする。
【００１０】
請求項６に記載の収納袋は、収納袋内に向く通気部の開口は収納袋内に収納される粒状内容物の粒の大きさよりも小さく設定されていることを特徴とする。
【発明の効果】
【００１１】
以上のように、本発明の収納袋は、通気部のための凹凸部は収納袋を構成する２枚のシートに予め形成されていて、通気部が形成された２枚のシート間にシート長の違いがないので歪みが生じるようなことがなく、通気部は初期の形状を保持して安定した通気性が得られることになる。また、凹凸部は長さ方向が互いに逆方向となるように傾斜しており、一方のシートの凹凸部に他方のシートの凹凸部が嵌り合うことがなく、通気部の形状が安定する。従って、収納袋内の空気は通気部を押し広げて効率良く抜かれることになる。また、２枚のシートの凹凸部は収納袋の長手方向もしくは短手方向に対して同一方向に向いているのではなく、傾斜しているので、収納袋を反物状に巻いたとき外側に膨らむ凸部は潰れにくくなる。
【発明を実施するための最良の形態】
【００１２】
以下、本発明の実施の形態を、図面を用いて具体的に説明する。
先ず、図１〜図５に示す第１の実施の形態について説明すると、図において１は内面側を構成する層２が外面側を構成する層３の合成樹脂よりも低融点の合成樹脂からなり、２つの層２，３が積層された２層構造のシート４により作られ、内部に精米された白米などの穀物類あるいは粒状の肥料など（以下粒状内容物という）を収納するための収納袋であり、水平に寝かせた状態において縦長の長方形を呈している。この収納袋１は前記２層構造のシート４を２枚用いて前記内面側を構成する層２同志が互いに向き合うように重ね合わせ、周囲４辺の内、３辺を２層構造のシート４の内面側を構成する層２同志をヒートシールにより接合した状態で開口する１辺より内部に粒状内容物を充填するように構成されている。５はヒートシール部である。粒状内容物が充填された後は前記開口する１辺が内面側を構成する層２同志をヒートシールにより接合して閉じられる。
【００１３】
ところで本発明の実施の形態では、収納袋１の長手方向に沿う両側の位置で、収納袋１を構成する２枚のシート４，４にそれぞれ予め収納袋１の短手方向に対して長さ方向が僅かに傾斜するように波状の凹凸部６が形成されている。この凹凸部６は波状の凹凸を有して互いに噛み合う２つの成形型間にシート４を挟み、２つの成形型の凹凸間でシート４を加熱することにより形成される。なお、２枚の各シート４の凹凸部６の長さ方向（凹部および凸部の軸芯方向）が互いに逆方向に傾斜するように２枚の各シート４に凹凸部６が形成されているものである。この凹凸部６が形成されている範囲は収納袋１の長手方向全長でも良いが、図面に示す実施の形態では長手方向における両端近傍部に適当長さ範囲に亘って存在するように形成されている。このように、凹凸部６が形成された２枚のシート４，４を重ね合わせるのであるが、そのとき一方のシート４の凸部６ａと他方のシート４の凸部６ａ同士は水平に寝かせた収納袋１を平面から見て収納袋１の長手方向に沿う端面でその長さ方向一端がＶ状に交わるように構成されている。そして、長手方向における両端近傍部においてそれぞれ凹凸部６が形成されている範囲の少なくとも１箇所を残し、２枚のシート４，４がヒートシールにより接合される。収納袋１の長手方向に沿う両側のヒートシール部５は、収納袋１の長手方向における両端近傍部の凹凸部６が形成されている範囲においては収納袋１の長手方向に沿って分断される幅が狭い内側ヒートシール部５ａと、同じく収納袋１の長手方向における両端近傍部の凹凸部６が形成されている範囲において収納袋１の長手方向に沿って分断され幅が狭く端部長さが内側ヒートシール部５ａよりも短い外側ヒートシール部５ｂからなるものである。収納袋１の底となる部分は前記内側ヒートシール部５ａや外側ヒートシール部５ｂよりも幅の大きな連続するヒートシール部５で閉じられている。
【００１４】
そして、重要なのは収納袋１の長手方向に沿う両側の位置で長手方向における両端近傍部の前記内側ヒートシール部５ａと外側ヒートシール部５ｂとからなるヒートシール部５の分断箇所間を通気部７とすることである。この通気部７について詳細に説明すると、前記内側ヒートシール部５ａと外側ヒートシール部５ｂとからなるヒートシール部５の分断箇所間には前記２枚のシート４，４の凹凸部６が存在する。２枚のシート４，４の凹凸部６は長さ方向が互いに逆方向となるように傾斜しており、一方のシート４の凸部６ａと他方のシート４の凸部６ａ同士は収納袋１の長手方向に沿う端面でＶ状に交わるように構成されているので、一方のシート４の凹凸部６に他方のシート４の凹凸部６が嵌り合うことがない。
【００１５】
このような構成の収納袋１内には、収納袋１の開口する１辺より内部に粒状内容物が充填され、開口する１辺が内面側を構成する層２同志をヒートシールにより接合して閉じられる。収納袋１に前述の通気部７が存在しないと収納袋１は中に空気が入った状態で膨らんだ状態となる。しかしながら、本収納袋１には前述の通気部７が存在しているために、収納袋１内の空気は前記分断部での内側ヒートシール部５ａ間の通気部７を押し広げ、収納袋１の外に抜け出すことになる。従って、収納袋１は内部密閉状態のようにパンパンに膨らんだ状態とはならず、内部に粒状内容物が入った収納袋１を安定良く段積みすることができる。特に、収納袋１の中に粒状内容物を収納した状態では、粒状内容物の収納量による膨らみから収納袋１の長手方向に沿う両側近傍の位置が歪みやすく、その箇所に前記通気部７を形成すると収納袋１の歪みにより通気部７は開きやすく、空気抜きが良好に行なえる。
【００１６】
なお、前記分断部での内側ヒートシール部５ａ間の通気部７より粒状内容物がこぼれ出ないように、前記分断部での内側ヒートシール部５ａ間の通気部７の収納袋１内に向く開口は収納袋１内に収納される粒状内容物の粒の大きさよりも小さく設定されている。
【００１７】
次に、図６に示す第２の実施の形態について説明すると、前記第１の実施の形態では収納袋１の長手方向に沿う両側の位置で長手方向における両端近傍部の前記内側ヒートシール部５ａと外側ヒートシール部５ｂとからなるヒートシール部５の分断箇所間に通気部７を形成してあるが、この第２の実施の形態では通気部７は収納袋１の長手方向に沿う両側における両端近傍および収納袋１の長手方向の中央部にも形成されている。勿論、この長手方向の中央部の通気部７は長手方向における両端近傍部の通気部７と同様の構成となっているものである。他の構成は前記第１の実施の形態と同様である。
【００１８】
次に、図７〜図１０に示す第３の実施の形態について説明すると、前記第１および第２の実施の形態では一方のシート４の凸部６ａと他方のシート４の凸部６ａ同士は収納袋１の長手方向に沿う端面でＶ状に交わるように構成されているが、この第３の実施の形態では長さ方向が互いに逆方向に傾斜する一方のシート４の凸部６ａと他方のシート４の凸部６ａ同士は水平に寝かせた収納袋１を平面から見てＸ状に交わるように構成されている。他の構成は前記第１の実施の形態と同様である。
【００１９】
次に、図１１に示す第４の実施の形態について説明すると、前記第３の実施の形態では収納袋１の長手方向に沿う両側の位置で長手方向における両端近傍部の前記内側ヒートシール部５ａと外側ヒートシール部５ｂとからなるヒートシール部５の分断箇所間に一方のシート４の凸部６ａと他方のシート４の凸部６ａ同士がＸ状に交わる部分を備えた通気部７を形成してあるが、この第４の実施の形態では通気部７は収納袋１の長手方向に沿う両側における両端近傍および収納袋１の長手方向の中央部にも形成されている。勿論、この長手方向の中央部の通気部７は長手方向における両端近傍部の通気部７と同様の構成となっているものである。他の構成は前記第３の実施の形態と同様である。
【００２０】
以上、第１〜第４の実施の形態について述べたが、何れの実施の形態も一方のシート４の凸部６ａと他方のシート４の凸部６ａが交わっているが、必ずしも交わらなくても良い。
【００２１】
次に、図１２〜図１３に示す第５の実施の形態について説明すると、この第５の実施の形態では２枚のシート４，４にそれぞれ予め収納袋１の短手方向に対して長さ方向が僅かに傾斜するようにのこぎり歯形状の凹凸部６が形成されており、前記各実施の形態と同様に２枚の各シート４の凹凸部６の長さ方向が互いに逆方向に傾斜している。そして、この実施の形態では一方のシート４の１組の凹凸部６と他方のシート４の１組の凹凸部６とが収納袋１の長手方向に沿う端面でその長さ方向一端が水平に寝かせた収納袋１を平面から見てＶ状に交わるように構成されている。他の構成は前記第１の実施の形態と同様である。
【００２２】
この実施の形態の他の例として、一方のシート４の１組の凹凸部６と他方のシート４の１組の凹凸部６とが水平に寝かせた収納袋を平面から見てＸ状に交わるようにすることも可能である。
【００２３】
ところで、第１〜の第５の実施の形態において、通気部７は収納袋１の長手方向に沿う両側に形成されているが、収納袋１の長手方向に沿う片側でも良く、その場合通気部７の数は１箇所だけでも良い。
【００２４】
また、通気部７を収納袋１の長手方向に沿う側部に形成せずに、短手方向に沿う少なくとも１辺に上記と同様に形成することも可能である。その場合、凹凸部６は長さ方向が収納袋の長手方向に対して同一方向に向いているのではなく、収納袋の長手方向に対して僅かに傾斜するようになる。
【００２５】
また、ヒートシール部５の形は図面に示す形に限定されるものではない。
さらに、上記した実施の形態では、収納袋１を構成するシート４，４は内面側を構成する層２および外面側を構成する層３が共に合成樹脂からなるものであるが、内面側を構成する層２はヒートシールを施す必要があることから合成樹脂からなり、外面側を構成する層３つまり表面は紙あるいは不織布などで作られていても良い。
【図面の簡単な説明】
【００２６】
【図１】本発明の第１の実施の形態における収納袋を水平に寝かせた状態における平面図である。
【図２】図１における収納袋の要部拡大図である。
【図３】図１における収納袋の要部拡大斜視図である。
【図４】同収納袋の通気部が空気抜け時に膨らんだ状態を示す要部拡大図である。
【図５】同収納袋の通気部を形成する部分の２枚のシートの接合前の状態を示す要部拡大斜視図である。
【図６】本発明の第２の実施の形態における収納袋を水平に寝かせた状態における平面図である。
【図７】本発明の第３の実施の形態における収納袋を水平に寝かせた状態における平面図である。
【図８】図６における収納袋の要部拡大図である。
【図９】図６における収納袋の要部拡大斜視図である。
【図１０】同収納袋の通気部を形成する部分の２枚のシートの接合前の状態を示す要部拡大斜視図である。
【図１１】本発明の第４の実施の形態における収納袋を水平に寝かせた状態における平面図である。
【図１２】本発明の第５の実施の形態における収納袋の通気部を形成する部分の２枚のシートの接合前の状態を示す要部拡大斜視図である。
【図１３】同収納袋の要部拡大斜視図である。
【符号の説明】
【００２７】
１    収納袋
２    内面側を構成する層
３    外面側を構成する層
４    シート
５    ヒートシール部
５ａ  内側ヒートシール部
５ｂ  外側ヒートシール部
６    凹凸部
６ａ  凸部
７    通気部
【図１】
2010001038.tif 000003
【図２】
2010001038.tif 000004
【図３】
2010001038.tif 000005
【図４】
2010001038.tif 000006
【図５】
2010001038.tif 000007
【図６】
2010001038.tif 000008
【図７】
2010001038.tif 000009
【図８】
2010001038.tif 000010
【図９】
2010001038.tif 000011
【図１０】
2010001038.tif 000012
【図１１】
2010001038.tif 000013
【図１２】
2010001038.tif 000014
【図１３】
2010001038.tif 000015